(57)【要約】【課題】覚醒維持のための冷風による対象者ごとの不快感をより低減することを可能にする。【解決手段】ドライバの覚醒状態を維持するための冷風を発生する空調装置６から冷風を発生させる覚醒刺激制御部４４０と、ドライバの特性を特定する特性特定部４１０とを備え、覚醒刺激制御部４４０は、特性特定部４１０で特定するドライバの特性に応じて、空調装置６から発生させる冷風の、ドライバへ当てる部位、風量、温度、及び送風時間の少なくともいずれかである風刺激条件を変動させる。【選択図】図３
2020045015.tif 000002
【特許請求の範囲】
【請求項１】
対象者の覚醒状態を維持するための冷風を発生する覚醒刺激装置（６）から前記冷風を発生させる覚醒刺激制御部（４４０）と、
前記対象者の特性を特定する特性特定部（４１０）とを備え、
前記覚醒刺激制御部は、前記特性特定部で特定する前記対象者の特性に応じて、前記覚醒刺激装置から発生させる前記冷風の、前記対象者へ当てる部位、風量、温度、及び送風時間の少なくともいずれかである風刺激条件を変動させる覚醒維持装置。
【請求項２】
前記覚醒刺激制御部は、少なくとも前記対象者へ前記冷風を当てる部位を順番に切り替えるローテーションを行わせる請求項１に記載の覚醒維持装置。
【請求項３】
前記覚醒刺激制御部は、少なくとも前記風量及び前記温度を変動させることが可能なものであって、前記冷風を当てる部位についての前記温度を、前記特性特定部で特定する前記対象者の特性に応じて変動させる場合には、その部位についての前記風量も前記温度の変動に応じて必ず変動させる請求項１又は２に記載の覚醒維持装置。
【請求項４】
前記特性特定部で特定する前記対象者の特性は、少なくとも性別、暑がり寒がり、冷え性有り、几帳面さ有り、眼鏡の着用有り、及びコンタクトレンズの着用有りのいずれかである請求項１〜３のいずれか１項に記載の覚醒維持装置。
【請求項５】
前記特性特定部で特定する前記対象者の特性は、少なくとも性別であって、
前記覚醒刺激制御部は、少なくとも前記風量及び前記温度を変動させることが可能なものであり、前記特性特定部で特定する前記対象者の特性が女性の場合には、前記特性特定部で特定する前記対象者の特性が男性の場合に比べて、前記風量及び前記温度を下げさせる請求項４に記載の覚醒維持装置。
【請求項６】
前記特性特定部で特定する前記対象者の特性は、少なくともコンタクトレンズの着用有りであって、
前記覚醒刺激制御部は、少なくとも前記風量を変動させることが可能なものであり、前記特性特定部で特定する前記対象者の特性がコンタクトレンズの着用有りの場合には、前記特性特定部で前記対象者の特性がコンタクトレンズの着用有りと特定されない場合に比べて、前記対象者の顔への前記風量を下げさせる請求項４又は５に記載の覚醒維持装置。
【請求項７】
前記特性特定部で特定する前記対象者の特性は、少なくとも暑がり寒がりであって、
前記覚醒刺激制御部は、少なくとも前記温度を変動させることが可能なものであり、前記特性特定部で特定する前記対象者の特性が暑がりの場合には、前記特性特定部で前記対象者の特性が暑がりとも寒がりとも特定されない場合に比べて、前記温度を下げさせる一方、前記特性特定部で特定する前記対象者の特性が寒がりの場合には、前記特性特定部で前記対象者の特性が暑がりとも寒がりとも特定されない場合に比べて、前記温度を上げさせる請求項４〜６のいずれか１項に記載の覚醒維持装置。
【請求項８】
前記特性特定部で特定する前記対象者の特性は、少なくとも冷え症有りであって、
前記覚醒刺激制御部は、少なくとも前記冷風を前記対象者へ当てる部位を変動させることが可能なものであり、前記特性特定部で前記対象者の特性が冷え症有りと特定されない場合には、前記対象者の手と足とそれ以外の部位とを前記冷風を当てる部位とさせる一方、前記特性特定部で特定する前記対象者の特性が冷え症有りの場合には、前記対象者の手と足とそれ以外の部位とのうちの手と足とを前記冷風を当てない部位とさせる請求項４〜７のいずれか１項に記載の覚醒維持装置。
【請求項９】
前記特性特定部で特定する前記対象者の特性は、少なくとも几帳面さ有りであって、
前記覚醒刺激制御部は、少なくとも前記風量を変動させることが可能なものであり、前記特性特定部で特定する前記対象者の特性が几帳面さ有りの場合には、前記特性特定部で前記対象者の特性が几帳面さ有りと特定されない場合に比べて、前記風量を下げさせる請求項４〜８のいずれか１項に記載の覚醒維持装置。
【請求項１０】
日射が当たっている前記対象者の部位を推定する日射部位推定部（４２０）を備え、
前記特性特定部で特定する前記対象者の特性は、少なくとも冷え症有りと暑がり寒がりのうちの寒がりとのいずれかである冷え関連特性であって、
前記覚醒刺激制御部は、前記日射部位推定部で日射が当たっていると推定する前記対象者の部位については、前記特性特定部で特定する前記冷え関連特性に応じた前記量的条件の変動の対象である場合でも、その量的条件の変動を行わせない一方、前記日射部位推定部で日射が当たっていると推定する前記対象者の部位以外の部位については、前記特性特定部で特定する前記冷え関連特性に応じた前記量的条件の変動の対象である場合に、その量的条件の変動を行わせる請求項４〜９のいずれか１項に記載の覚醒維持装置。
【請求項１１】
前記覚醒刺激制御部は、前記風刺激条件のうちの、前記風量、前記温度、及び前記送風時間の少なくともいずれかである量的条件を変動させることが可能なものであって、前記量的条件の基準値が予め定められているとともに、前記量的条件を変動させる変動量を示す設定値が前記特性別に予め定められており、前記特性特定部で特定する前記対象者の特性に応じた前記設定値を前記基準値に加減して得られる値に前記量的条件を変動させる請求項１〜１０のいずれか１項に記載の覚醒維持装置。
【請求項１２】
前記特性特定部で特定する前記対象者の特性は複数項目であって、
前記覚醒刺激制御部は、前記特性特定部で特定する前記対象者の複数項目の特性のそれぞれに応じた前記設定値をそれぞれ前記基準値に加減して得られる値に前記量的条件を変動させる請求項１１に記載の覚醒維持装置。
【請求項１３】
前記特性特定部で特定する前記対象者の複数項目の特性には、予め項目別の優先順位が定められており、
前記覚醒刺激制御部は、前記特性特定部で特定する前記対象者の複数項目の特性のうち、前記優先順位が高いものから順に所定数の項目の特性に絞って選定し、選定されるその所定数の項目の特性のそれぞれに応じた前記設定値をそれぞれ前記基準値に加減して得られる値に前記量的条件を変動させる請求項１２に記載の覚醒維持装置。
【請求項１４】
前記特性特定部で特定する前記対象者の複数項目の特性は、少なくとも暑がり寒がりの特性を含んでおり、
前記項目別の優先順位は、暑がり寒がりの特性についての優先順位が最も高く定められている請求項１３に記載の覚醒維持装置。
【請求項１５】
前記項目別の優先順位は、季節に応じて定められており、
前記覚醒刺激制御部は、現在の季節に応じて前記項目別の優先順位を切り替えて、前記特性特定部で特定する前記対象者の複数項目の特性のうち、その優先順位が高いものから順に所定数の項目の特性に絞って選定し、選定されるその所定数の項目の特性のそれぞれに応じた前記設定値をそれぞれ前記基準値に加減して得られる値に前記量的条件を変動させる請求項１３に記載の覚醒維持装置。
【請求項１６】
前記量的条件は、前記覚醒刺激装置で設定可能な範囲よりも狭い範囲内で最大値及び最小値が予め定められており、
前記覚醒刺激制御部は、前記量的条件を変動させる場合に、前記最大値及び前記最小値を超えない範囲で前記量的条件を変動させる請求項１１〜１５のいずれか１項に記載の覚醒維持装置。
【請求項１７】
前記覚醒刺激制御部は、少なくとも前記冷風を前記対象者へ当てる部位及び前記送風時間を変動させることが可能なものであり、ある部位についての前記送風時間を増加させる場合には、このある部位についての前記送風時間を増加させる分だけ他の部位についての前記送風時間を減少させる一方、ある部位についての前記送風時間を減少させる場合には、このある部位についての前記送風時間を減少させる分だけ他の部位についての前記送風時間を増加させる請求項１〜１６のいずれか１項に記載の覚醒維持装置。
【請求項１８】
前記覚醒刺激制御部は、少なくとも前記冷風を前記対象者へ当てる部位を変動させることが可能なものであり、ある部位へ前記冷風を当てないように変動させる場合には、このある部位へ前記冷風を当てないようにする代わりに他の部位へ前記冷風を当てるように変動させる請求項１〜１７のいずれか１項に記載の覚醒維持装置。
【請求項１９】
対象者の特性を特定し、
特定する前記対象者の特性に応じて、前記対象者の覚醒状態を維持するための冷風を発生する覚醒刺激装置（６）から発生させる前記冷風の、前記対象者へ当てる部位、風量、温度、及び送風時間の少なくともいずれかを変動させる覚醒維持方法。
【請求項２０】
コンピュータを、
対象者の特性を特定する特性特定部（４１０）と、
前記特性特定部で特定する前記対象者の特性に応じて、前記対象者の覚醒状態を維持するための冷風を発生する覚醒刺激装置（６）から発生させる前記冷風の、前記対象者へ当てる部位、風量、温度、及び送風時間の少なくともいずれかを変動させる覚醒刺激制御部（４４０）として機能させるための制御プログラム。
【発明の詳細な説明】
【技術分野】
【０００１】
本開示は、対象者の覚醒状態を維持するための覚醒維持装置、覚醒維持方法、及び制御プログラムに関するものである。
【背景技術】
【０００２】
従来、運転手に刺激を与えて覚醒状態を維持しようとする技術が知られている。例えば、特許文献１には、空調システムの左右の吹き出し口からの低温の送風によって運転手の左右の手と首とに交互に覚醒維持のための刺激を与える技術が開示されている。
【先行技術文献】
【特許文献】
【０００３】
【特許文献１】特許第５６０１０４３号公報
【発明の概要】
【発明が解決しようとする課題】
【０００４】
しかしながら、特許文献１に開示の技術では、運転手の手と首とに交互に冷風による刺激を与えるといった、覚醒維持のための刺激の発生態様を変更することは開示されているが、冷風に晒されることによって生じる運転手ごとの不快さへの対処が行われていない。
【０００５】
この開示のひとつの目的は、覚醒維持のための冷風による対象者ごとの不快感をより低減することを可能にする覚醒維持装置、覚醒維持方法、及び制御プログラムを提供することにある。
【課題を解決するための手段】
【０００６】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００７】
上記目的を達成するために、本開示の覚醒維持装置は、対象者の覚醒状態を維持するための冷風を発生する覚醒刺激装置（６）から冷風を発生させる覚醒刺激制御部（４４０）と、対象者の特性を特定する特性特定部（４１０）とを備え、覚醒刺激制御部は、特性特定部で特定する対象者の特性に応じて、覚醒刺激装置から発生させる冷風の、対象者へ当てる部位、風量、温度、及び送風時間の少なくともいずれかである風刺激条件を変動させる。
【０００８】
上記目的を達成するために、本開示の覚醒維持方法は、対象者の特性を特定し、特定する対象者の特性に応じて、対象者の覚醒状態を維持するための冷風を発生する覚醒刺激装置（６）から発生させる冷風の、対象者へ当てる部位、風量、温度、及び送風時間の少なくともいずれかを変動させる。
【０００９】
上記目的を達成するために、本開示の制御プログラムは、コンピュータを、対象者の特性を特定する特性特定部（４１０）と、特性特定部で特定する対象者の特性に応じて、対象者の覚醒状態を維持するための冷風を発生する覚醒刺激装置（６）から発生させる冷風の、対象者へ当てる部位、風量、温度、及び送風時間の少なくともいずれかを変動させる覚醒刺激制御部（４４０）として機能させる。
【００１０】
これらによれば、特定する対象者の特性に応じて、覚醒刺激装置から発生させる冷風の、対象者へ当てる部位、風量、温度、及び送風時間の少なくともいずれかを変動させることになる。冷風の、対象者へ当てる部位であったり、風量、温度、及び送風時間であったりの量の多寡は、対象者の特性によっては、不快感を増加させる原因となる。この冷風の、対象者へ当てる部位、風量、温度、及び送風時間の少なくともいずれかを、特定する対象者の特性に応じて変動させるので、対象者の特性に応じて、不快感を増加しにくく変動させることが可能になる。その結果、覚醒維持のための冷風による対象者ごとの不快感をより低減することが可能になる。
【図面の簡単な説明】
【００１１】
【図１】覚醒維持システム１の概略的な構成の一例を示す図である。
【図２】空調装置６の概略的な構成の一例を示す図である。
【図３】ＨＣＵ４０の概略的な構成の一例を示す図である。
【図４】ドライバの特性別に予め対応付けられるテーブルの一例を説明するための図である。
【図５】覚醒刺激制御部４４０での送風時間の変動の一例について説明を行うための図である。
【図６】覚醒刺激制御部４４０での冷風を当てる部位の変動の一例について説明を行うための図である。
【図７】覚醒刺激制御部４４０での冷風を当てる部位の変動の一例について説明を行うための図である。
【発明を実施するための形態】
【００１２】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１３】
（実施形態１）
＜覚醒維持システム１の概略構成＞
以下、本実施形態について図面を用いて説明する。図１に示す覚醒維持システム１は、携帯端末２及び車両側システム３を含んでいる。車両側システム３は、自動車（以下、単に車両）で用いられ、携帯端末２は、車両のドライバに携帯されるものとする。
【００１４】
携帯端末２としては、人が携帯可能であって特定の通信機能及び入力機能を有する端末であればよく、例えば多機能携帯電話機，タブレット端末，ノートＰＣ等を用いることができる。以下では、携帯端末２は、スマートフォンといった多機能携帯電話機であって、特定の通信機能として、Bluetooth Low Energy（Bluetoothは登録商標）等の近距離無線通信規格に沿って通信を行う通信機能を有する場合を例に挙げて説明を行う。
【００１５】
＜車両側システム３の概略構成＞
車両側システム３は、図１に示すように、ＨＭＩ（Human Machine Interface）システム４、通信モジュール５、及び空調装置６を含んでいる。ＨＭＩシステム４、通信モジュール５、及び空調装置６は、例えば車内ＬＡＮに接続されているものとする。
【００１６】
ＨＭＩシステム４は、ＨＣＵ（Human Machine Interface Control Unit）４０、カメラユニット４１、熱画像計測装置４２、及び操作デバイス４３を備えている。ＨＭＩシステム４は、ドライバからの入力操作を受け付けたり、ドライバの状態を監視したりする。このドライバが請求項の対象者に相当する。
【００１７】
カメラユニット４１は、近赤外カメラ及び近赤外光源を備える。近赤外カメラは、近赤外線領域に感度を有するカメラであり、近赤外光源により照らされた領域を含む撮像対象を撮像し、撮像した画像をＨＣＵ４０に出力する。近赤外光源は、近赤外光を照射する照明装置である。なお、近赤外光源はＬＥＤの他、フィラメントなどを有する別の光源であってもよい。近赤外カメラは、運転席に着座するドライバの顔領域を含む領域の画像（以下、ドライバ画像）を撮像する。本実施形態では、ドライバの顔、手、足、及び胸を含む領域の画像をドライバ画像として撮像する場合を例に挙げて以降の説明を行う。足については、例えば大腿部等の足の一部のみを含むものとすればよい。近赤外カメラは、例えばインスツルメントパネルの上面に設けられる。なお、近赤外カメラが設けられる位置は、ドライバを撮像できる位置であれば、インスツルメントパネルの上面に限らない。例えば、ステアリングコラム上に設けられる構成であってもよいし、天井に設けられる構成であってもよいし、ルームミラーに設けられる構成であってもよい。
【００１８】
熱画像計測装置４２は、運転席に着座するドライバの体表面温度を計測する。一例としては、サーモグラフィーカメラで撮像する、運転席に着座するドライバの上半身の範囲の温度分布を画像としてＨＣＵ４０に出力する構成とすればよい。なお、カメラユニット４１と熱画像計測装置４２とが一体となっており、カメラを共有する構成としてもよい。
【００１９】
操作デバイス４３は、ドライバが各種設定のために操作するスイッチ群である。例えば、操作デバイス４３としては、自車のステアリングのスポーク部に設けられたステアリングスイッチ，ディスプレイと一体となったタッチスイッチ等がある。
【００２０】
ＨＣＵ４０は、プロセッサ、メモリ、Ｉ／Ｏ、これらを接続するバスを備えるマイクロコンピュータを主体として構成され、メモリに記憶された制御プログラムを実行することで覚醒維持に関する処理（以下、覚醒維持関連処理）等の各種の処理を実行する。プロセッサがこの制御プログラムを実行することは、制御プログラムに対応する覚醒維持方法が実行されることに相当する。ここで言うところのメモリは、コンピュータによって読み取り可能なプログラム及びデータを非一時的に格納する非遷移的実体的記憶媒体（non- transitory tangible storage medium）である。また、非遷移的実体的記憶媒体は、半導体メモリ又は磁気ディスクなどによって実現される。ＨＣＵ４０が覚醒維持装置に相当する。なお、ＨＣＵ４０での処理の詳細については後述する。
【００２１】
通信モジュール５は、前述した近距離無線通信規格を利用して携帯端末２と無線通信可能に接続し、通信を行う。通信モジュール５は、携帯端末２から受信する信号をＨＣＵ４０に出力したり、ＨＣＵ４０から入力される情報を携帯端末２へ送信したりする。
【００２２】
空調装置６は、空調要求情報をＨＣＵ４０から取得し、自車に複数設けられた吹出口から吹き出す風に関する調整（つまり、空調）を行う装置である。空調装置６が行う空調としては、吹き出す風の量（以下、風量）の調整、吹き出す風の温度の調整、吹き出す風の送風時間の調整、吹き出す風の向き（以下、風向）の調整、風を吹き出す吹出口の選択等がある。この空調装置６が覚醒刺激装置に相当する。空調装置６の詳細については後述する。
【００２３】
なお、吹出口は、運転席に向けて送風可能な位置に複数設けられているものとする。本実施形態では、一例として、運転席に対して、センタフェイス吹出口、サイドフェイス吹出口、及びフット吹出口が設けられているものとして以下の説明を続ける。センタフェイス吹出口は、例えばインスツルメントパネルの車幅方向の中央部付近に、運転席に着座するドライバの上半身側に向くように配置される。サイドフェイス吹出口は、例えばインスツルメントパネルのサイドウィンドウ側に、運転席に着座するドライバの上半身側に向くように配置される。フット吹出口は、例えば運転席の座面よりも下部に、運転席に着座するドライバの足元に向くように配置される。
【００２４】
＜空調装置６の概略構成＞
空調装置６は、図２に示すように、エアコンＥＣＵ６０、ブロワ６１、温度調整部６２、吹出口切替ドア６３、横ルーバ６４、及び縦ルーバ６５を備えている。
【００２５】
ブロワ６１は、エアコンＥＣＵ６０の制御によって、吹出口から吹き出す風の風量を調整する。温度調整部６２は、熱交換器であったりエアミックスダンパであったりを備えており、エアコンＥＣＵ６０の制御によって、吹出口から吹き出す風の温度を調整する。
【００２６】
吹出口切替ドア６３は、エアコンＥＣＵ６０の制御によって、風を吹き出す吹出口を切り替える。一例としては、センタフェイス吹出口及びサイドフェイス吹出口と、フット吹出口とのいずれから風を吹き出すかを切り替える。
【００２７】
横ルーバ６４は、センタフェイス吹出口及びサイドフェイス吹出口よりも風の流路の上流側であって、センタフェイス吹出口及びサイドフェイス吹出口の付近に設けられている。横ルーバ６４は、自車の車幅方向に延びるように形成されている複数の長板を備える。これら複数の長板は、自車の高さ方向に互いに間隔をおいて配列されている。横ルーバ６４の各長板は、それぞれ車幅方向に延びたシャフトを中心に、シャフト駆動用のモータによって回動可能に配置されている。
【００２８】
縦ルーバ６５も、センタフェイス吹出口及びサイドフェイス吹出口よりも風の流路の上流側であって、センタフェイス吹出口及びサイドフェイス吹出口のそれぞれの付近に設けられている。縦ルーバ６５は、自車の高さ方向に延びるように形成されている複数の長板を備える。これら複数の長板は、車幅方向に互いに間隔をおいて配列されている。縦ルーバ６５の各長板は、それぞれ自車の高さ方向に延びたシャフトを中心に、シャフト駆動用のモータによって回動可能に配置されている。
【００２９】
エアコンＥＣＵ６０の制御によって、センタフェイス吹出口及びサイドフェイス吹出口の横ルーバ６４が回動されることで、センタフェイス吹出口及びサイドフェイス吹出口から吹き出される風の上下方向の向きが調整される。また、エアコンＥＣＵ６０の制御によって、センタフェイス吹出口及びサイドフェイス吹出口の縦ルーバ６５が回動されることで、センタフェイス吹出口及びサイドフェイス吹出口から吹き出される風の左右方向の向きが調整される。
【００３０】
空調装置６は、吹出口切替ドア６３で風を吹き出す吹出口を切り替えるとともに、横ルーバ６４及び縦ルーバ６５でセンタフェイス吹出口及びサイドフェイス吹出口から吹き出される風の風向を調整することで、運転席に着座するドライバに対して風を当てる部位を調整する。
【００３１】
一例としては、センタフェイス吹出口及びサイドフェイス吹出口から風を吹き出させるとともに、センタフェイス吹出口及びサイドフェイス吹出口の左右方向の風向を運転席中央寄り、上下方向の風向を運転席のヘッドレスト寄りとさせることで、風を当てる部位を顔に調整すればよい。また、センタフェイス吹出口及びサイドフェイス吹出口から風を吹き出させるとともに、センタフェイス吹出口及びサイドフェイス吹出口の左右方向の風向を運転席中央寄り、上下方向の風向も運転席中央寄りとさせることで、風を当てる部位を胸に調整すればよい。さらに、センタフェイス吹出口及びサイドフェイス吹出口から風を吹き出させるとともに、センタフェイス吹出口の左右方向の風向を運転席の左アームレスト寄り、サイドフェイス吹出口の左右方向の風向を運転席の右アームレスト寄り、上下方向の風向を運転席中央寄りとさせることで、風を当てる部位を手に調整すればよい。他にも、フット吹出口から風を吹き出させることで、風を当てる部位を足に調整すればよい。
【００３２】
また、空調装置６は、エアコンＥＣＵ６０の制御によって、上述した風を当てる部位の調整のタイミングを変更することで、各部位への風の送風時間を調整する。
【００３３】
エアコンＥＣＵ６０は、プロセッサ、メモリ、Ｉ／Ｏ、これらを接続するバスを備えるマイクロコンピュータを主体として構成され、メモリに記憶された制御プログラムを実行することで空調に関する各種の処理を実行する。エアコンＥＣＵ６０は、ＨＣＵ４０から出力された空調要求情報を取得し、取得した空調要求情報に基づいて、風量、風の温度、送風時間、風を当てる部位の調整を実行する。
【００３４】
＜ＨＣＵ４０の概略構成＞
続いて、図３を用いて、ＨＣＵ４０の概略構成について説明を行う。ＨＣＵ４０は、特性特定部４１０、日射部位推定部４２０、テーブル格納部４３０、及び覚醒刺激制御部４４０を備えている。また、特性特定部４１０は、性別特定部４１１、暑がり寒がり特定部４１２、冷え症特定部４１３、几帳面特定部４１４、眼鏡特定部４１５、及びコンタクト特定部４１６を備えている。なお、ＨＣＵ４０が実行する機能の一部または全部を、１つあるいは複数のＩＣ等によりハードウェア的に構成してもよい。また、ＨＣＵ４０が備える機能ブロックの一部又は全部は、プロセッサによるソフトウェアの実行とハードウェア部材の組み合わせによって実現されてもよい。
【００３５】
特性特定部４１０は、ドライバの特性を特定する。一例として、特性特定部４１０で特定するドライバの特性は、性別、暑がり寒がり、冷え症、几帳面、眼鏡の着用、及びコンタクトレンズの着用とする。性別特定部４１１が、ドライバの特性として性別を特定する。暑がり寒がり特定部４１２が、ドライバの特性として暑がり寒がりを特定する。冷え症特定部４１３が、ドライバの特性として冷え症有りを特定する。几帳面特定部４１４が、ドライバの特性として几帳面さ有りを特定する。眼鏡特定部４１５が、ドライバの特性として眼鏡の着用有りを特定する。コンタクト特定部４１６が、ドライバの特性としてコンタクトレンズの着用有りを特定する。
【００３６】
性別特定部４１１は、カメラユニット４１から出力されてくるドライバ画像に対してパターンマッチング等の画像認識処理を行うことで、ドライバの性別が男性か女性かを特定する構成とすればよい。また、携帯端末２若しくは操作デバイス４３でドライバの性別が男性か女性かの入力を受け付け、この入力結果をＨＣＵ４０で取得し、この入力結果からドライバの性別が男性か女性かを性別特定部４１１で特定する構成としてもよい。携帯端末２での入力結果は、通信モジュール５を介してＨＣＵ４０で取得すればよい。
【００３７】
暑がり寒がり特定部４１２は、携帯端末２若しくは操作デバイス４３でドライバが暑がり（hot-natured）か寒がり（cold-natured）か暑がり寒がりのいずれでもないかの入力を受け付け、この入力結果をＨＣＵ４０で取得し、この入力結果からドライバが暑がりか寒がりかいずれでもないかを、暑がり寒がり特定部４１２で特定する構成とすればよい。また、携帯端末２で空調装置６の空調温度の設定を遠隔操作できる構成の場合、携帯端末２で設定される空調温度が基準とする温度に対して規定値以上低いか高いかで暑がりか寒がりかを特定する構成としてもよい。他にも、携帯端末２に入力される身長体重が規定値以上の場合に暑がりと特定する等、他の方法を用いて、ドライバが暑がりか寒がりかを暑がり寒がり特定部４１２で特定する構成としてもよい。なお、携帯端末２側でドライバが暑がりか寒がりかまで推定し、この推定結果から、ドライバが暑がりか寒がりかを暑がり寒がり特定部４１２で特定する構成としてもよい。
【００３８】
冷え症特定部４１３は、熱画像計測装置４２から出力されてくるドライバの体表面温度の計測結果をもとに、ドライバが冷え症（poor circulation）有りか否かを特定する構成とすればよい。一例としては、ドライバの手等の末端部分の体表面温度が冷え症か否かを区別するための閾値以下か否かによって、ドライバが冷え症有りか否かを特定すればよい。また、携帯端末２若しくは操作デバイス４３でドライバが冷え症有りか否かの入力を受け付け、この入力結果をＨＣＵ４０で取得し、この入力結果からドライバが冷え症有りか否かを、冷え症特定部４１３で特定する構成とすればよい。
【００３９】
几帳面特定部４１４は、携帯端末２若しくは操作デバイス４３でドライバが几帳面さ有りか否かの入力を受け付け、この入力結果をＨＣＵ４０で取得し、この入力結果からドライバが几帳面さ有りか否かを、几帳面特定部４１４で特定する構成とすればよい。また、携帯端末２でソーシャルネットワークを利用できる構成の場合、このソーシャルネットワークでの携帯端末２のユーザであるドライバの書き込み内容をもとに、ドライバが几帳面さ有りか否かを几帳面特定部４１４で特定する構成としてもよい。一例としては、書き込み内容から、テキストマイニング等を用いて几帳面な人間に特徴的なフレーズの出現頻度等を分析することで、ドライバが几帳面さ有りか否かを特定すればよい。なお、携帯端末２側でドライバが几帳面さ有りか否かまで推定し、この推定結果から、ドライバが几帳面さ有りか否かを几帳面特定部４１４で特定する構成としてもよい。
【００４０】
眼鏡特定部４１５は、カメラユニット４１から出力されてくるドライバ画像に対してパターンマッチング等の画像認識処理を行うことで、ドライバが眼鏡着用有りか否かを特定する構成とすればよい。また、携帯端末２若しくは操作デバイス４３でドライバが眼鏡着用有りか否かの入力を受け付け、この入力結果をＨＣＵ４０で取得し、この入力結果からドライバが眼鏡着用有りか否かを眼鏡特定部４１５で特定する構成としてもよい。
【００４１】
コンタクト特定部４１６は、カメラユニット４１から出力されてくるドライバ画像から眼の部位を抽出し、この眼の部位の光の反射率から、ドライバがコンタクトレンズ着用有りか否かを特定する構成とすればよい。また、携帯端末２若しくは操作デバイス４３でドライバがコンタクトレンズ着用有りか否かの入力を受け付け、この入力結果をＨＣＵ４０で取得し、この入力結果からドライバがコンタクトレンズ着用有りか否かをコンタクト特定部４１６で特定する構成としてもよい。
【００４２】
なお、眼鏡着用有り及びコンタクトレンズ着用有りといった特性を除き、ドライバの乗車のたびにそのドライバの特性を特定する手間を低減するために、例えば認証に用いられる電子キーのＩＤと特性特定部４１０で特定するドライバの特性とを紐付けてＨＣＵ４０の不揮発性メモリに格納しておくことで、ドライバ別にそのドライバの特性を記憶しておけばよい。そして、ドライバの乗車のたびに、認証に用いられる電子キーのＩＤに対応する特性を読み出し、そのドライバの特性として用いる構成とすればよい。
【００４３】
また、ここでは、特性特定部４１０でドライバの特性を特定するために、通信モジュール５、カメラユニット４１、熱画像計測装置４２、及び操作デバイス４３を用いる構成を示したが、必ずしもこれに限らない。採用するドライバの特性の特定方法によっては、不要な構成を用いないようにすればよい。
【００４４】
日射部位推定部４２０は、日射が当たっているドライバの部位を推定する。一例として、日射部位推定部４２０は、カメラユニット４１から出力されてくるドライバ画像に対してパターンマッチング等の画像認識処理を行うことで、ドライバの例えば手，足，顔，胸といった各部位を区別して抽出する。そして、各部位の輝度が、日射が当たっているか否かを区別するための閾値以上か否かによって、日射が当たっている部位を推定すればよい。
【００４５】
テーブル格納部４３０は、ドライバの特性別に、空調装置６からの冷風をドライバへ当てる部位の変動であったり、冷風を当てる部位別の風量，温度，送風時間といった量的条件の変動量を示す設定値であったりが予め対応付けられたテーブルを格納している。テーブル格納部４３０としては、不揮発性メモリを用いる構成とすればよい。ここで、図４を用いて、テーブル格納部４３０に格納されるテーブルの一例について述べる。以下では、風量の単位はｍ／ｓ，温度の単位は℃，送付時間の単位は秒とする。
【００４６】
図４に示すように、性別が女性という特性については、顔への冷風を、風量を１ｍ／ｓ下げて温度を１℃上げるとともに送風時間を５秒減らす設定値が対応付けられている一方、胸への冷風の送風時間を５秒増やす設定値が対応付けられている。変動についてのテーブルが示されていない、性別が男性という特性については、冷風を当てる部位はデフォルトから変動させないし、風量，温度，送風時間といった量的条件もデフォルトの基準値から変動させないものとなる。なお、冷風を当てる部位のデフォルトは、１サイクルで顔，手，胸，足の順であるものとする。また、基準値は、ドライバの特性にかかわらずに一律に予め定められている、ドライバの覚醒状態を維持するための冷風の風量，温度，送風時間である。基準値は、例えば複数人の被験者の覚醒状態の維持に効果があった冷風の風量，温度，送風時間の平均値，最頻値等の代表値とすればよい。本実施形態では、風量，温度，及び送風時間の基準値が、２ｍ／ｓ，１５℃，１５秒である場合を例に挙げて以降の説明を行う。
【００４７】
図４に示すように、暑がり寒がりのうちの暑がりという特性については、手及び足への冷風を、風量を１ｍ／ｓ上げて温度を１℃下げる設定値が対応付けられている。暑がり寒がりのうちの寒がりという特性については、手及び足への冷風を、風量を１ｍ／ｓ下げて温度を１℃上げる設定値が対応付けられている。暑がり寒がりのいずれでもない場合については、冷風を当てる部位はデフォルトから変動させないし、風量，温度，送風時間といった量的条件もデフォルトの基準値から変動させないものとなる。
【００４８】
図４に示すように、冷え症有りという特性については、手への冷風の代わりに顔への冷風に変動させるとともに足への冷風の代わりに胸への冷風に変動させることと、冷風の風量を１ｍ／ｓ下げる設定値が対応付けられている。冷え症有りでない場合については、冷風を当てる部位はデフォルトから変動させないし、風量，温度，送風時間といった量的条件もデフォルトの基準値から変動させないものとなる。
【００４９】
図４に示すように、几帳面さ有りという特性については、顔への冷風の代わりに胸への冷風に変動させることと、冷風の風量を１ｍ／ｓ下げる設定値が対応付けられている。几帳面さ有りでない場合については、冷風を当てる部位はデフォルトから変動させないし、風量，温度，送風時間といった量的条件もデフォルトの基準値から変動させないものとなる。
【００５０】
図４に示すように、眼鏡着用有りという特性については、顔への冷風の風量を１ｍ／ｓ上げる設定値が対応付けられている。コンタクトレンズ着用有りという特性については、顔への冷風を、風量を１ｍ／ｓ下げて送風時間を５秒減らす設定値が対応付けられている一方、胸への冷風の送風時間を５秒増やす設定値が対応付けられている。眼鏡着用有りでもコンタクトレンズ着用有りでもない場合については、冷風を当てる部位はデフォルトから変動させないし、風量，温度，送風時間といった量的条件もデフォルトの基準値から変動させないものとなる。
【００５１】
覚醒刺激制御部４４０は、空調装置６から、ドライバの覚醒状態を維持するための冷風を発生させる。覚醒刺激制御部４４０は、空調装置６のエアコンＥＣＵ６０へ向けて空調要求情報を出力することにより作動を制御する。覚醒刺激制御部４４０での、ドライバの覚醒状態を維持するための冷風を発生させる処理を以降では、覚醒刺激処理と呼ぶ。
【００５２】
例えば覚醒刺激制御部４４０は、自車のイグニッション電源がオンになってＨＣＵ４０の電源もオンになる場合に覚醒刺激処理を開始する構成とすればよい。また、カメラユニット４１から出力されてくるドライバ画像をもとに検知されるドライバの覚醒度が規定のレベル以下となる場合に覚醒刺激処理を開始する構成としてもよい。他にも、自車が走行を開始してからの連続走行時間，走行距離が一定以上となる場合に覚醒刺激処理を開始する構成としてもよい。一方、覚醒刺激制御部４４０は、自車のイグニッション電源がオフになってＨＣＵ４０の電源もオフになる場合に覚醒刺激処理を終了したり、上述のドライバの覚醒度が、前述の規定のレベルよりも高い所定のレベル以上となる場合に覚醒刺激処理を終了したりすればよい。
【００５３】
覚醒刺激制御部４４０は、覚醒刺激処理において、ドライバへ冷風を当てる部位を順番に切り替えるローテーションを行わせることが好ましい。これは、冷風を当てる部位を順番に切り替えることで、冷風への慣れを生じにくくして覚醒維持効果を高めるためである。本実施形態では、デフォルトの覚醒刺激処理において、顔，手，胸，足の順に冷風を当てる部位を順番に切り替えるサイクルを繰り返すローテーションを行う場合を例に挙げて説明を行う。
【００５４】
覚醒刺激制御部４４０は、覚醒刺激処理において、特性特定部４１０で特定するドライバの特性に応じて、空調装置６から発生させる冷風の、ドライバへ当てる部位、風量、温度、及び送風時間の少なくともいずれかである風刺激条件を変動させる。冷風の風量、温度、及び送風時間といった量的条件については、基準値から変動させる構成とすればよい。より詳しくは、特性特定部４１０で特定するドライバの特性に応じた、図４に示すような設定値を基準値に加減して得られる値に量的条件を変動させる。本実施形態では、図４のテーブルに従って、ドライバの特性に応じた風刺激条件の変動を覚醒刺激制御部４４０が行わせる場合を例に挙げて以降の説明を行う。
【００５５】
特性特定部４１０で複数項目の特性が特定される場合には、この複数項目の特性のそれぞれに応じた、図４に示すような設定値をそれぞれ基準値に加減して得られる値に量的条件を変動させればよい。複数項目を１つのグラフで表して、量的条件を変動させる量を調整する場合には、パラメータが複雑になってしまうが、複数項目の特性のそれぞれに応じた設定値をそれぞれ基準値に加減して得られる値に量的条件を変動させる構成によれば、設定値を加減するだけなので、量的条件を変動させる量の調整がより簡略化される。
【００５６】
覚醒刺激制御部４４０で変動させる量的条件は、空調装置６で設定可能な範囲よりも狭い範囲内で最大値及び最小値が予め定められており、覚醒刺激制御部４４０は、量的条件を変動させる場合に、この最大値及び最小値を超えない範囲で量的条件を変動させることが好ましい。例えば、複数項目の特性のそれぞれに応じた設定値をそれぞれ基準値に加減して得られる値が、この最大値を超える場合には、この最大値となるように量的条件を変動させる一方、この最小値を下回る場合には、この最小値となるように量的条件を変動させる構成とすればよい。
【００５７】
これは、冷風の温度が高くなり過ぎるとドライバの覚醒維持の効果が低下したり、冷風の温度が低くなり過ぎたり風量が強くなり過ぎるとドライバの特性にかかわらずドライバの不快感が高くなったりするためである。よって、この最大値及び最小値としては、ドライバの覚醒状態を維持するのに有効と推定される範囲におさまる値、且つ、ドライバの特性にかかわらずドライバの不快感を高くしてしまうと推定される範囲に達しない値とすればよい。一例として、覚醒刺激制御部４４０で変動させる量的条件は、風量が３ｍ／ｓ〜１ｍ／ｓ，温度が２０℃〜１０℃，送風時間が３０秒〜１０秒とすればよい。
【００５８】
また、覚醒刺激制御部４４０は、特性特定部４１０で特定するドライバの複数項目の特性のうち、優先順位が高いものから順に所定数の項目の特性に絞って選定し、選定されるその所定数の項目の特性のそれぞれに応じた設定値をそれぞれ基準値に加減して得られる値に量的条件を変動させる構成としてもよい。特性別の優先順位については、例えば特性の項目別に優先順位を対応付けたテーブル等をＨＣＵ４０の不揮発性メモリに予め格納しておくことで、覚醒刺激制御部４４０が特性の項目をもとにこのテーブルを参照して優先順位を特定できる構成等とすればよい。ここで言うところの所定数とは、任意に設定可能な値である。
【００５９】
これによれば、優先順位の高い特性についての設定値を優先的に冷風の調整に反映することが可能になる。優先順位は、冷風によるドライバの不快感をより低減することを可能にするため、冷風が不快感に影響し易い特性ほど優先順位が高くなっていることが好ましい。暑がり寒がりの特性については、冷風が不快感に特に影響し易いため、暑がり寒がりの優先順位が最も高く定められていることが好ましい。
【００６０】
また、特性の項目別の優先順位は、季節に応じて定められている構成としてもよい。そして、覚醒刺激制御部４４０は、現在の季節に応じて特性の項目別の優先順位を切り替えて、特性特定部４１０で特定するドライバの複数項目の特性のうち、その優先順位が高いものから順に所定数の項目の特性に絞って選定し、選定されるその所定数の項目の特性のそれぞれに応じた設定値をそれぞれ基準値に加減して得られる値に量的条件を変動させればよい。現在の季節については、計時手段で計測される日時から覚醒刺激制御部４４０が特定すればよい。
【００６１】
冷風が不快感に影響し易い特性は、季節に応じて変化する場合が考えられる。よって、現在の季節に応じて特性の項目別の優先順位を切り替えることで、より精度良く冷風によるドライバの不快感を低減することが可能になる。特性の項目別の優先順位を季節に応じて定める場合、例えば冬は、冷え症有り，暑がり寒がりといった特性の優先順位を高くする一方、夏は性別，几帳面さ有りといった特性の優先順位を高くする等とすればよい。
【００６２】
覚醒刺激制御部４４０は、性別特定部４１１でドライバの特性を女性と特定する場合には、性別特定部４１１で特定するドライバの特性が男性の場合に比べて、風量を上げさせる一方、温度を下げさせる。また、顔への冷風の送風時間を減らさせる分だけ、胸への冷風の送風時間を増加させる。ドライバの特性が男性の場合には基準値から変更しないのに対し、女性の場合には、顔への冷風を、基準値から風量を１ｍ／ｓ下げて温度を１℃上げるとともに送風時間を５秒減らす。一方、胸への冷風の送風時間を５秒増やす。
【００６３】
以上の構成によれば、女性の顔への冷風の風量、送風時間を減らさせる一方、温度を上げさせることで、顔への冷風を不快に感じやすい女性の不快感を低減させることが可能になる。女性は、顔に対する冷風への感受性が高い傾向にあるので、顔への冷風の風量を下げさせるとともに温度を上げさせても覚醒維持の効果は継続され易い。また、顔への冷風の送風時間を減らさせる分だけ、胸への冷風の送風時間を増加させるので、この点でも覚醒維持の効果は継続され易い。さらに、冷風を当てる部位を手，足といった末端でなく胸に変更させるので、冷風を当てる部位を顔から変更させながらも覚醒維持の効果を継続しつつ、末端が冷えやすい女性を冷やし過ぎることを防ぐことも可能になる。
【００６４】
なお、ドライバの複数項目の特性のうち、優先順位が高いものから順に所定数の項目の特性に絞って選定する構成を採用する場合には、以下のようにすればよい。覚醒刺激制御部４４０は、性別特定部４１１でドライバの特性を女性と特定する場合であって、且つ、優先順位をもとにこの項目を選定する場合に、性別特定部４１１で特定するドライバの特性が男性の場合に比べて、風量を上げさせる一方温度を下げさせたり、顔への送風時間を減らさせる一方胸への送風時間を増やさせたりすればよい。
【００６５】
覚醒刺激制御部４４０は、暑がり寒がり特定部４１２でドライバの特性を暑がりと特定する場合には、暑がり寒がり特定部４１２でドライバの特性が暑がりとも寒がりとも特定されない場合に比べて、温度を下げさせる。また、温度を下げるのに合わせて風量を上げさせる。一例としては、手，足といった末端は温度への感受性が高い傾向があるので、冷風の温度の改善がドライバに伝わり易いように、手，足への冷風の温度を下げさせて風量を上げさせることが好ましい。ドライバの特性が暑がりでも寒がりでもない場合には基準値から変更しないのに対し、暑がりの場合には、手，足への冷風を、基準値から風量を１ｍ／ｓ上げさせて温度を１℃下げる。
【００６６】
以上の構成によれば、暑がりのドライバへの冷風の温度を下げさせる一方、風量を上げさせることで、このドライバが快適に感じやすい冷風に切り替え、不快感を低減させることが可能になる。また、手，足への冷風の温度を下げさせて風量を上げさせることで、この改善がドライバに伝わり易くなり、より不快感を低減させることが可能になる。
【００６７】
なお、ドライバの複数項目の特性のうち、優先順位が高いものから順に所定数の項目の特性に絞って選定する構成を採用する場合には、以下のようにすればよい。覚醒刺激制御部４４０は、暑がり寒がり特定部４１２でドライバの特性を暑がりと特定する場合であって、且つ、優先順位をもとにこの項目を選定する場合に、温度を下げさせる一方風量を上げさせればよい。
【００６８】
覚醒刺激制御部４４０は、暑がり寒がり特定部４１２でドライバの特性を寒がりと特定する場合には、暑がり寒がり特定部４１２でドライバの特性が暑がりとも寒がりとも特定されない場合に比べて、温度を上げさせる。また、温度を上げるのに合わせて風量を下げさせる。一例としては、冷風の温度の改善がドライバに伝わり易いように、手，足への冷風の温度を上げさせて風量を下げさせることが好ましい。ドライバの特性が暑がりでも寒がりでもない場合には、基準値から変更しないのに対し、寒がりの場合には手，足への冷風を、基準値から風量を１ｍ／ｓ下げさせて温度を１℃上げさせる。
【００６９】
以上の構成によれば、寒がりのドライバへの冷風の温度を上げさせる一方、風量を下げさせることで、このドライバが快適に感じやすい冷風に切り替え、不快感を低減させることが可能になる。また、手，足への冷風の温度を上げさせて風量を下げさせることで、この改善がドライバに伝わり易くなり、より不快感を低減させることが可能になる。
【００７０】
なお、ドライバの複数項目の特性のうち、優先順位が高いものから順に所定数の項目の特性に絞って選定する構成を採用する場合には、以下のようにすればよい。覚醒刺激制御部４４０は、暑がり寒がり特定部４１２でドライバの特性を寒がりと特定する場合であって、且つ、優先順位をもとにこの項目を選定する場合に、温度を上げさせる一方風量を下げさせればよい。
【００７１】
覚醒刺激制御部４４０は、冷え症特定部４１３でドライバの特性が冷え症有りと特定されない場合には、ドライバの手と足とそれ以外の部位とを冷風を当てる部位とさせる一方、冷え症特定部４１３で特定するドライバの特性が冷え症有りの場合には、ドライバの手と足とそれ以外の部位とのうちの手と足とを冷風を当てない部位とさせる。また、手と足とを冷風を当てない部位とさせる代わりに、手と足以外の部位に冷風を当てさせたり、風量を下げさせたりする。ドライバの特性が冷え症有りでない場合には基準値から変更しないのに対し、冷え症有りの場合には、手への冷風の代わりに顔への冷風，足への冷風の代わりに胸への冷風に切り替えさせ、各部位への冷風の風量を基準値から１ｍ／ｓ下げさせる。なお、各部位への冷風の風量を下げさせる構成に限らず、手，足の代わりに冷風を当てる部位への冷風の風量を下げさせる構成としてもよい。
【００７２】
以上の構成によれば、冷え症有りのドライバの手，足といった冷えやすい末端への冷風を止めさせて体を冷え難くし、不快感を低減させることが可能になる。また、各部位への風量も下げさせるので、この点でも体を冷え難くし、不快感を低減させることが可能になる。他にも、手，足への冷風を止めさせる分だけ、顔，胸へ冷風を当てさせるので、覚醒維持の効果は継続され易い。
【００７３】
なお、ドライバの複数項目の特性のうち、優先順位が高いものから順に所定数の項目の特性に絞って選定する構成を採用する場合には、以下のようにすればよい。覚醒刺激制御部４４０は、冷え症特定部４１３でドライバの特性を冷え症有りと特定する場合であって、且つ、優先順位をもとにこの項目を選定する場合に、ドライバの手と足とそれ以外の部位とのうちの手と足とを冷風を当てない部位とさせたり、風量を下げさせたりすればよい。
【００７４】
覚醒刺激制御部４４０は、几帳面特定部４１４で特定するドライバの特性が几帳面さ有りの場合には、几帳面特定部４１４でドライバの特性が几帳面さ有りと特定されない場合に比べて、風量を下げさせる。また、冷風を当てる部位を顔から胸へ切り替えさせる。ドライバの特性が几帳面さ有りでない場合には、基準値から変更しないのに対し、几帳面さ有りの場合には、顔への冷風の代わりに胸への冷風に切り替えさせ、各部位への冷風の風量を基準値から１ｍ／ｓ下げさせる。なお、各部位への冷風の風量を下げさせる構成に限らず、顔の代わりに冷風を当てる旨への冷風の風量を下げさせる構成としてもよい。
【００７５】
以上の構成によれば、風に対して過敏と考えられる几帳面さ有りのドライバの各部位への風量を下げるので、不快感を低減させることが可能になる。また、特に風に対して過敏と考えられる顔への冷風を止めて胸への冷風に切り替えさせるので、この点でも不快感を低減させることが可能になる。また、各部位への風量も下げさせるので、この点でも体を冷え難くし、不快感を低減させることが可能になる。他にも、顔への冷風を止めさせる分だけ、胸へ冷風を当てさせるので、覚醒維持の効果は継続され易い。また、几帳面さ有りのドライバは、風に対して過敏と考えられるので、各部位への冷風の風量を下げさせても覚醒維持の効果は継続され易い。
【００７６】
なお、ドライバの複数項目の特性のうち、優先順位が高いものから順に所定数の項目の特性に絞って選定する構成を採用する場合には、以下のようにすればよい。覚醒刺激制御部４４０は、几帳面特定部４１４でドライバの特性を几帳面さ有りと特定する場合であって、且つ、優先順位をもとにこの項目を選定する場合に、風量を下げさせたり、冷風を当てる部位を顔から顔以外の部位に切り替えさせたりすればよい。
【００７７】
覚醒刺激制御部４４０は、眼鏡特定部４１５で特定するドライバの特性が眼鏡着用有りの場合には、眼鏡特定部４１５でドライバの特性が眼鏡着用有りと特定されない場合に比べて、顔への冷風の風量を上げさせる。ドライバの特性が眼鏡着用有りでない場合には、基準値から変更しないのに対し、眼鏡着用有りの場合には、顔への冷風の風量を基準値から１ｍ／ｓ上げさせる。
【００７８】
以上の構成によれば、冷風が眼に当たり難く冷風で不快になり難い、眼鏡着用有りのドライバに対しては、顔への冷風の風量を上げて覚醒維持の効果を高めても、不快感を低減させにくい。なお、ドライバの複数項目の特性のうち、優先順位が高いものから順に所定数の項目の特性に絞って選定する構成を採用する場合には、以下のようにすればよい。覚醒刺激制御部４４０は、眼鏡特定部４１５でドライバの特性を眼鏡着用有りと特定する場合であって、且つ、優先順位をもとにこの項目を選定する場合に、顔への風量を上げさせればよい。
【００７９】
覚醒刺激制御部４４０は、コンタクト特定部４１６で特定するドライバの特性がコンタクトレンズ着用有りの場合には、コンタクト特定部４１６でドライバの特性がコンタクトレンズ着用有りと特定されない場合に比べて、顔への風量を下げさせる。また、顔への冷風の送風時間を減らさせる分だけ、胸への冷風の送風時間を増加させる。ドライバがコンタクトレンズ着用有りでない場合には、基準値から変更しないのに対し、ドライバがコンタクトレンズ着用有りの場合には、顔への冷風を、基準値から風量を１ｍ／ｓ下げさせるとともに送風時間を５秒減らさせる。一方、胸への冷風の送風時間を５秒増やさせる。
【００８０】
以上の構成によれば、コンタクトレンズ着用有りのドライバの顔への冷風の風量、送風時間を減らさせることで、コンタクトレンズが風で乾くことで不快に感じやすいコンタクトレンズ着用有りのドライバの不快感を低減させることが可能になる。また、顔への冷風の送風時間を減らさせる分だけ、胸への冷風の送風時間を増加させるので、覚醒維持の効果は継続され易い。
【００８１】
なお、ドライバの複数項目の特性のうち、優先順位が高いものから順に所定数の項目の特性に絞って選定する構成を採用する場合には、以下のようにすればよい。覚醒刺激制御部４４０は、コンタクト特定部４１６でドライバの特性をコンタクトレンズ着用有りと特定する場合であって、且つ、優先順位をもとにこの項目を選定する場合に、顔への風量を下げさせたり、顔への送風時間を減らさせる一方胸への送風時間を増やさせたりすればよい。
【００８２】
覚醒刺激制御部４４０は、冷風を当てる部位についてのその冷風の温度を、特性特定部４１０で特定するドライバの特性に応じて変動させる場合には、その部位についての風量も温度の変動に応じて必ず変動させることが好ましい。これによれば、ドライバが感じとり難い冷風の温度の変化であっても、風量を同じタイミングで変動させることで温度の変化をドライバが感じとり易くなる。その結果、ドライバは冷風の温度の改善効果を意識し易くなり、冷風の温度の改善効果を意識することでこの改善効果がさらに高まり、不快感をさらに低減することが可能になる。
【００８３】
また、ドライバの特性に応じて冷風の温度を変動させる場合はその温度の変動に応じて風量を必ず変動させる一方、ドライバの特性に応じて風量を変動させる場合は必ずしもその風量の変動に応じた温度の変動を行わない構成としてもよい。これは、風量の変動は温度の変化よりも感じとり易いと考えられるためである。
【００８４】
覚醒刺激制御部４４０は、ドライバのある部位についての冷風の送風時間を増加させる場合には、このある部位についての送風時間を増加させる分だけ他の部位についての送風時間を減少させる一方、ある部位についての送風時間を減少させる場合には、このある部位についての送風時間を減少させる分だけ他の部位についての送風時間を増加させることが好ましい。
【００８５】
ここで、図５を用いて、覚醒刺激制御部４４０での送風時間の変動の一例について説明を行う。図５では、顔，手，胸，足のそれぞれの部位への冷風の送風タイミング，送風時間を示している。図５のグラフの縦軸が送風のオン／オフ（ＯＮ／ＯＦＦ）を示しており、横軸が時間を示している。図５では、ドライバの特性が女性若しくはコンタクトレンズ着用有りである場合について示している。図５の点線がデフォルトの場合の例を示しており、実線がドライバの特性に応じて変動させた場合の例を示している。
【００８６】
図５に示すように、ドライバの特性が女性若しくはコンタクトレンズ着用有りである場合、覚醒刺激制御部４４０は、冷風を当てる部位を顔，手，胸，足の順に切り替えるローテーションを行いつつ、顔に当てる冷風の送風時間を減らした分だけ胸に当てる冷風の送風時間を増やさせる。図５に示すように、顔に当てる冷風の送風時間を減らした分だけ胸に当てる冷風の送風時間を増やすことで、ローテーションの１サイクルの周期は変更せずに済ませている。これによれば、ある部位に当てる冷風の送風時間を変動させながらも、ローテーションの１サイクルの周期を一定にするため、ローテーションの制御が簡単になる。また、ドライバの各部位全体での冷風の送風時間を減らさないため、覚醒維持の効果を継続し易くなる。
【００８７】
なお、本実施形態では、冷風の送風時間を変動させるドライバの特性として、ドライバの特性が女性及びコンタクトレンズ着用有りである場合を例に挙げたが、必ずしもこれに限らない。例えば、女性及びコンタクトレンズ着用有り以外のドライバの特性の場合に、冷風の送風時間を変動させる構成としてもよい。
【００８８】
覚醒刺激制御部４４０は、ドライバのある部位へ冷風を当てないように変動させる場合には、このある部位へ冷風を当てないようにする代わりに他の部位へ冷風を当てるように変動させることが好ましい。
【００８９】
ここで、図６，図７を用いて、覚醒刺激制御部４４０での冷風を当てる部位の変動の一例について説明を行う。図６，図７では、顔，手，胸，足のそれぞれの部位への冷風の送風タイミング，送風時間を示している。図６，図７のグラフの縦軸が送風のオン／オフ（ＯＮ／ＯＦＦ）を示しており、横軸が時間を示している。図６では、ドライバの特性が冷え症有りである場合について示しており、図７では、ドライバの特性が几帳面さ有りである場合について示している。図６，図７の点線がデフォルトの場合の例を示しており、実線がドライバの特性に応じて変動させた場合の例を示している。
【００９０】
図６に示すように、ドライバの特性が冷え症有りである場合、覚醒刺激制御部４４０は、冷風を当てる部位を顔，手，胸，足の順に切り替えるローテーションを行いつつ、手に冷風を当てさせないようにする代わりに、手に冷風を当てる筈だった時間については、顔へ冷風を当てさせるようにし、足に冷風を当てさせないようにする代わりに、足に冷風を当てる筈だった時間については、胸へ冷風を当てさせるようにする。図６に示すように、手，足に冷風を当てさせない分の時間、代わりに顔，胸に冷風を当てさせることで、ローテーションの１サイクルの周期は変更せずに済ませている。これによれば、ある部位に当てる冷風の送風時間を変動させながらも、ローテーションの１サイクルの周期を一定にするため、ローテーションの制御が簡単になる。
【００９１】
また、図７に示すように、ドライバの特性が几帳面さ有りである場合、覚醒刺激制御部４４０は、冷風を当てる部位を顔，手，胸，足の順に切り替えるローテーションを行いつつ、顔に冷風を当てさせないようにする代わりに、顔に冷風を当てる筈だった時間については、胸へ冷風を当てさせるようにする。図７に示すように、顔に冷風を当てさせない分の時間、代わりに胸に冷風を当てさせることで、ローテーションの１サイクルの周期は変更せずに済ませている。これによれば、ある部位に当てる冷風の送風時間を変動させながらも、ローテーションの１サイクルの周期を一定にするため、ローテーションの制御が簡単になる。また、ドライバの各部位全体での冷風の送風時間を減らさないため、覚醒維持の効果を継続し易くなる。
【００９２】
なお、本実施形態では、冷風を当てる部位を変動させるドライバの特性として、ドライバの特性が冷え症有り及び几帳面さ有りである場合を例に挙げたが、必ずしもこれに限らない。例えば、冷え症有り及び几帳面さ有り以外のドライバの特性の場合に、冷風を当てる部位を変動させる構成としてもよい。
【００９３】
また、覚醒刺激制御部４４０は、日射部位推定部４２０で日射が当たっていると推定するドライバの部位については、特性特定部４１０で特定する寒がり及び冷え症有りといった冷え関連特性に応じた風刺激条件の変動の対象である場合でも、その風刺激条件の変動を行わせない。一方、日射部位推定部４２０で日射が当たっていると推定する対象者の部位以外の部位については、特性特定部４１０で特定する冷え関連特性に応じた風刺激条件の変動の対象である場合に、その風刺激条件の変動を行わせる。覚醒刺激制御部４４０は、日射部位推定部４２０で日射が当たっていると推定するドライバの部位については、冷え関連特性に応じた、冷風を弱める量的条件の変動の対象である場合でも、その量的条件の変動を行わせない構成とすればよい。一方、日射部位推定部４２０で日射が当たっていると推定する対象者の部位以外の部位については、冷え関連特性に応じた、冷風を弱める量的条件の変動の対象である場合に、その量的条件の変動を行わせる。冷風を弱める量的条件の変動には、冷風の温度を上げさせる変動，冷風の風量を下げさせる変動，冷風の送風時間を減らさせる変動等がある。
【００９４】
一例として、冷え症特定部４１３で冷え症有りと特定する場合、手，足が冷風を当てる部位を変動させる対象となる。これに対して、日射部位推定部４２０で手に日射が当たっていると推定する一方、足に日射が当たっていないと推定する場合、覚醒刺激制御部４４０は、手から顔への冷風を当てる部位の切り替えを行わせないが、足から胸への冷風を当てる部位の切り替えを行わせる構成とすればよい。
【００９５】
また、暑がり寒がり特定部４１２で寒がりと特定する場合、手，足が風量，冷風の温度を変動させる対象となる。これに対して、日射部位推定部４２０で手に日射が当たっていると推定する一方、足に日射が当たっていないと推定する場合、覚醒刺激制御部４４０は、手への風量を下げさせたり手への冷風の温度を上げさせたりしないが、足への風量を下げさせたり手への冷風の温度を上げさせたりする構成とすればよい。
【００９６】
以上の構成によれば、日射によって温められている部位への冷風を弱めることで、この部位が温まり過ぎることによるドライバの不快感を低減する一方、日射によって温められていない部位への冷風は弱めないことで、この部位が冷え過ぎることによる不快感を低減することが可能になる。
【００９７】
＜実施形態１のまとめ＞
実施形態１の構成によれば、特性特定部４１０で特定する、性別、暑がり寒がり、冷え性有り、几帳面さ有り、眼鏡の着用有り、及びコンタクトレンズの着用有りといったドライバの特性に応じて、空調装置６から発生させる冷風の、ドライバへ当てる部位、風量、温度、及び送風時間の少なくともいずれかを変動させることになる。性別、暑がり寒がり、冷え性有り、几帳面さ有り、眼鏡の着用有り、及びコンタクトレンズの着用有りといった特性は、冷風への感受性との相関性が高いと推定される。よって、冷風の、ドライバへ当てる部位であったり、風量、温度、及び送風時間であったりの量の多寡は、これらの特性を有するドライバにとっては、不快感を増加させる原因となる。この冷風の、ドライバへ当てる部位、風量、温度、及び送風時間の少なくともいずれかを、特性特定部４１０で特定する特性に応じて変動させるので、冷風によって覚醒維持させつつも、ドライバの特性に応じて、不快感を増加しにくく冷風を変動させることが可能になる。その結果、覚醒維持のための冷風による対象者ごとの不快感をより低減することが可能になる。
【００９８】
なお、本実施形態で説明した、ドライバの特性に応じた風刺激条件の変動の態様は、あくまで一例であって、他の態様であっても構わない。詳しくは、冷風への感受性の高い特性であるほど、冷風への感受性の高い部位への冷風の量的条件を緩和したり、冷風を当てる部位を、冷風への感受性のより低い部位へ切り替えたりする一方、冷風への感受性の低い特性であるほど、冷風への感受性の高い部位への冷風の量的条件を強めたりする構成であればよい。冷風の量的条件を緩和するとは、基準に対して、温度を上げさせたり、風量を下げさせたり、送風時間を減らさせたりすることを示す。冷風の量的条件を強めるとは、基準に対して、温度を下げさせたり、風量を上げさせたり、送風時間を増やさせたりすることを示す。
【００９９】
（実施形態２）
前述の実施形態では、特性特定部４１０で特定するドライバの特性として、性別、暑がり寒がり、冷え性有り、几帳面さ有り、眼鏡の着用有り、及びコンタクトレンズの着用有りを例に挙げて説明を行ったが、必ずしもこれに限らない。例えば、特性特定部４１０で特定するドライバの特性が、性別、暑がり寒がり、冷え性有り、几帳面さ有り、眼鏡の着用有り、及びコンタクトレンズの着用有りの一部であってもよいし、他の特性であってもよい。
【０１００】
（実施形態３）
前述の実施形態では、覚醒刺激制御部４４０が、ドライバへ冷風を当てる部位を順番に切り替えるローテーションを行わせる構成を示したが、必ずしもこれに限らない。例えば、ローテーションを行わずに、複数の部位に同時に冷風を当てる構成としてもよい。複数の部位に同時に冷風を当てる構成を採用する場合、ドライバの特性に応じて冷風を当てる部位を変更することを、冷風を当てる部位を減らすことで行う構成とすればよい。また、ローテーションを行わずに、１つの部位のみに冷風を当てる構成としてもよい。この場合、ドライバの特性に応じて冷風を当てる部位を変更することを、冷風を当てる１つのみの部位を変更することで行う構成とすればよい。
【０１０１】
（実施形態４）
また、覚醒刺激制御部４４０は、空調装置６による冷風にゆらぎが生じるように風量，温度を変更させる構成としてもよい。ここで言うところのゆらぎとは、冷風の風量，温度といった冷風の強度が、基準となる強度を中心に周期的に上下に変動する状態を示す。ドライバの部位別の冷風の各々の強度にゆらぎが生じるように冷風の強度を変更させるので、それぞれの冷風についての慣れが生じにくく、より高い覚醒効果を得ることが可能になる。
【０１０２】
（実施形態５）
前述の実施形態では、空調装置６からの冷風を当てる対象となる部位として、顔，手，足，胸を例に挙げて説明を行ったが、必ずしもこれに限らない。例えば、空調装置６からの冷風を当てる対象となる部位は、顔，手，足，胸の一部の部位であってもよいし、顔，手，足，胸以外の部位を含んでもよい。
【０１０３】
（実施形態６）
前述の実施形態では、覚醒維持システム１が自動車で用いられる構成を示したが、必ずしもこれに限らない。覚醒維持システム１は種々の移動体で用いることが可能であり、例えば、鉄道車両，原動機付自転車等の自動車以外の車両で用いられる構成としてもよいし、航空機，船舶等の車両以外の移動体で用いる構成としてもよい。また、覚醒維持システム１と同様の構成を、移動体以外の家屋，施設等の室内で用いる構成としてもよい。この場合、この室内における覚醒状態の維持の対象となる人が対象者に相当する。
【０１０４】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【０１０５】
１  覚醒維持システム、２  携帯端末、３  車両側システム、４  ＨＭＩシステム、５  通信モジュール、６  空調装置（覚醒刺激装置）、４０  ＨＣＵ（覚醒維持装置）、４１  カメラユニット、４２  熱画像計測装置、４３  操作デバイス、４１０  特性特定部、４１１  性別特定部、４１２  暑がり寒がり特定部、４１３  冷え症特定部、４１４  几帳面特定部、４１５  眼鏡特定部、４１６  コンタクト特定部、４２０  日射部位推定部、４３０  テーブル格納部、４４０  覚醒刺激制御部
【図１】
2020045015.tif 000003
【図２】
2020045015.tif 000004
【図３】
2020045015.tif 000005
【図４】
2020045015.tif 000006
【図５】
2020045015.tif 000007
【図６】
2020045015.tif 000008
【図７】
2020045015.tif 000009